(57)【要約】【課題】  エネルギーを効率的に利用するとともに除湿材を十分に再生して確実に設定した空調条件にて空調を行う。【解決手段】  圧縮機１７によって圧縮した冷媒を室外ユニット４の熱交換器１２で冷却し、この冷却した冷媒を減圧して室内ユニット５の熱交換器２２にて蒸発させて熱交換を行う冷凍機２と、除湿ロータ３５に空気を通して除湿する除湿機３とから空気調和システム１を構成する。除湿機３の除湿ロータ３６へ再生用空気を送り込む再生流路３４に、圧縮機１７にて圧縮された冷媒が送り込まれる再生用熱交換器２０を配設する。再生流路３４にヒータ３９を設け、再生用熱交換器２０とともにヒータ３９によって、再生用空気を確実かつ安定的に加熱して除湿ロータ３５を再生させる。【選択図】      図１
2005180885.tif 000002
【特許請求の範囲】
【請求項１】
圧縮機によって圧縮した冷媒を放熱器で冷却し、この冷却した冷媒を減圧して蒸発器にて蒸発させて熱交換を行う冷凍機と、除湿材に空気を通して除湿する除湿機とを備えた空気調和システムであって、
前記冷凍機の放熱器における排熱を、前記除湿機の前記除湿材から水分を取り去り再生する再生用空気の加熱に用いることを特徴とする空気調和システム。
【請求項２】
前記冷凍機は、前記圧縮機にて圧縮された冷媒が送り込まれる再生用熱交換器を有し、前記除湿機は、前記除湿材へ再生用空気を送り込む再生流路に前記再生用熱交換器が配設されていることを特徴とする請求項１に記載の空気調和システム。
【請求項３】
前記再生用熱交換器は、前記冷媒が通される伝熱管の周囲に蓄熱剤が充填されていることを特徴とする請求項２に記載の空気調和システム。
【請求項４】
前記除湿機は、前記再生流路に、前記再生用熱交換器とともに前記再生用空気を加熱する加熱器を備えたことを特徴とする請求項２または請求項３に記載の空気調和システム。
【請求項５】
前記再生用熱交換器からの冷媒出口配管温度を検出する冷媒温度センサ及び前記除湿材に供給する再生用空気の温度を検出する空気温度センサを設け、これら温度センサからの検出結果に基づいて、除湿機がオンの状態でかつ冷媒温度センサによる検出温度が第１所定温度以下の場合、空気温度センサによる検出温度が第２所定温度以上となるように加熱器への入力を制御する第１制御装置を設けたことを特徴とする請求項４に記載の空気調和システム。
【請求項６】
前記再生用熱交換器をバイパスするバイパス流路を設け、前記再生用熱交換器からの冷媒出口配管温度を検出する冷媒温度センサ及び前記除湿材に供給する再生用空気の温度を検出する空気温度センサを設け、これら温度センサからの検出結果に基づいて、除湿機がオンの状態でかつ冷媒温度センサによる検出温度が第３所定温度未満の場合にバイパス流路を閉、第３所定温度以上の場合にバイパス流路を開と第２制御装置を設けたことを特徴とする請求項４に記載の空気調和システム。
【発明の詳細な説明】
【技術分野】
【０００１】
本発明は、室内の温度、湿度を調整する空気調和システムに関するものである。
【背景技術】
【０００２】
従来より、室内の空気の温度を調整する室温調整機能とともに空気の除湿を行う除湿機能を備えた空気調和システムが知られている。この空気調和システムには、室内へ導入する空気の除湿を行う除湿機が設けられている。
【０００３】
また、この種の空気調和システムとしては、冷暖房のための蓄熱を行う床下のヒートパイプへ冷水を送り込むヒートポンプからの排熱を利用し、この排熱によって暖めた空気を除湿機の除湿材に流入させて乾燥再生させることが行われている（例えば、特許文献１参照）。
【特許文献１】特開平９−３２４９３８号公報
【発明の開示】
【発明が解決しようとする課題】
【０００４】
ところで、ヒートポンプでは、凝縮排熱は、運転条件によって大きく変動するのが一般的である。したがって、このヒートポンプからの排熱温度が低い場合は、除湿機の除湿材を十分に乾燥再生することができず、室内の空調が設定条件と異なり不快感を与える恐れがあった。
【０００５】
この発明は、上記事情に鑑みてなされたもので、エネルギーを効率的に利用するとともに除湿材を十分に再生して確実に設定した空調条件にて空調を行うことが可能な空気調和システムを提供することを目的としている。
【課題を解決するための手段】
【０００６】
上記目的を達成するために、本発明の空気調和システムは、圧縮機によって圧縮した冷媒を放熱器で冷却し、この冷却した冷媒を減圧して蒸発器にて蒸発させて熱交換を行う冷凍機と、除湿材に空気を通して除湿する除湿機とを備えた空気調和システムであって、前記冷凍機の放熱器における排熱を、前記除湿機の前記除湿材から水分を取り去り再生する再生用空気の加熱に用いることを特徴とする。
【０００７】
そして、この発明の空気調和システムによれば、圧縮した冷媒から放出させる排熱を除湿機の除湿材を再生する再生用空気の加熱に用いることにより、総合的なエネルギーの効率を大幅に高めることができる。特に、排熱温度が安定した蒸気圧縮式の冷凍機からの排熱を用いるので、除湿機の除湿材の再生を安定的に行うことができ、確実に設定した空調条件にて空調を行うことができる。
【０００８】
また、本発明は、前記冷凍機が、前記圧縮機にて圧縮された冷媒が送り込まれる再生用熱交換器を有し、前記除湿機は、前記除湿材へ再生用空気を送り込む再生流路に前記再生用熱交換器が配設されていることが好ましい。
すなわち、再生用熱交換器へ圧縮された高温の冷媒を送り込むことにより、再生流路に送り込まれる再生用空気を確実に加熱することができ、除湿材の再生を確実に行うことができる。
【０００９】
さらに、前記再生用熱交換器は、前記冷媒が通される伝熱管の周囲に蓄熱剤が充填されていることが望ましい。
これにより、伝熱管を流れる冷媒の熱を、伝熱管の周囲に充填された蓄熱剤に蓄熱させることができるので、特に、冷凍機と除湿機との運転のタイミングが多少異なり冷媒の排熱が多少変動しても、蓄熱材に蓄熱された熱によって再生用空気を安定して加熱することができ、除湿材の再生を安定的に継続させることができる。
【００１０】
また、前記除湿機は、前記再生流路に、前記再生用熱交換器とともに前記再生用空気を加熱する加熱器を備えていることが好ましい。
このように、再生用熱交換器とともにヒータによってより確実かつ安定的に再生用空気を加熱して除湿材を再生することができる。
【００１１】
さらに、前記再生用熱交換器からの冷媒出口配管温度を検出する冷媒温度センサ及び前記除湿材に供給する再生用空気の温度を検出する空気温度センサを設け、これら温度センサからの検出結果に基づいて、除湿機がオンの状態でかつ冷媒温度センサによる検出温度が第１所定温度以下の場合、空気温度センサによる検出温度が第２所定温度以上となるように加熱器への入力を制御する第１制御装置を設けることが好ましい。
このように、制御装置が、再生用熱交換器及び再生用空気の温度をそれぞれ検出する温度センサからの検出結果に基づいて加熱器の制御を行うことにより、常に安定した温度の再生用空気を除湿材に供給して再生させることができる。
【００１２】
また、前記再生用熱交換器をバイパスするバイパス流路を設け、前記再生用熱交換器からの冷媒出口配管温度を検出する冷媒温度センサ及び前記除湿材に供給する再生用空気の温度を検出する空気温度センサを設け、これら温度センサからの検出結果に基づいて、除湿機がオンの状態でかつ冷媒温度センサによる検出温度が第３所定温度未満の場合にバイパス流路を閉、第３所定温度以上の場合にバイパス流路を開と第２制御装置を設けることが好ましい。
このように、制御装置が、再生用熱交換器からの出口温度を検出する冷媒温度センサからの検出結果に基づいてバイパス流路の開閉制御を行うことにより、常に安定した温度の再生用空気を除湿材に供給して再生させることができる。
【発明の効果】
【００１３】
この発明の空気調和システムによれば、圧縮した冷媒から放出させる排熱を除湿機の除湿材を再生する再生用空気の加熱に用いることにより、総合的なエネルギーの効率を大幅に高めることができる。特に、排熱温度が安定した蒸気圧縮式の冷凍機からの排熱を用いるので、除湿機の除湿材の再生を安定的に行うことができ、確実に設定した空調条件にて空調を行うことができる。
【発明を実施するための最良の形態】
【００１４】
以下、本発明を実施するための最良の形態について図面を参照して説明する。
（第１の実施形態）
図１は、第１の実施形態に係る空気調和システムの構成を説明する回路図である。
図に示すように、この空気調和システム１は、冷凍機２と除湿機３とを備えている。
冷凍機２は、室外に設置された室外ユニット４とそれぞれの室内に設置された室内ユニット５とを有している。
室外ユニット４は、ファン１１を有する熱交換器１２を備えている。この熱交換器１２には、膨張弁１３を有する配管１４ａが接続されており、この配管１４ａは、室内ユニット５へ延ばされている。
【００１５】
また、室外ユニット４は、四方弁１５、アキュームレータ１６及び圧縮機１７を備えている。四方弁１５には、室内ユニット５へつながる配管１４ｂ及びアキュームレータ１６と圧縮機１７とをつなぐ配管１４ｃが接続されている。
さらに、四方弁１５には、除湿機３へ延ばされた配管１４ｄが接続されており、この配管１４ｄは、除湿機３に設けられた再生用熱交換器２０に接続されている。この再生用熱交換器２０には、配管１４ｅが接続されており、この配管１４ｅは、室外ユニット４の熱交換器１２に接続されている。
【００１６】
そして、除湿機３の再生用熱交換器２０に接続された配管１４ｄ、１４ｅには、その途中にバイパス弁１８を有するバイパス配管１９が接続されている。
それぞれの室内ユニット５は、ファン２１を有する熱交換器２２を備えている。熱交換器２２には、室外ユニット４の熱交換器１２から延ばされた配管１４ａが膨張弁２３を介して接続されており、また、室外ユニット４の四方弁１５につながる配管１４ｄが接続されている。
【００１７】
除湿機３は、筒状のケース３１を有し、このケース３１は、内部が隔壁３２によって軸方向に分割され、一方側が処理流路３３とされ、他方側が再生流路３４とされている。
ケース３１内には、室外側の端部近傍に、除湿ロータ３５が設けられ、室内側における端部近傍に、熱交換ロータ３６が設けられている。これら除湿ロータ３５及び熱交換ロータ３６は、図示しない駆動手段により、それぞれ回転されるようになっている。
【００１８】
なお、除湿ロータ３５は、ハニカム構造のロータ本体に、シリカゲルやゼオライト系の乾燥剤をコーティングしたものである。
ケース３１内における熱交換ロータ３６の室内側には、処理流路３３側に処理ファン３７が設けられ、再生流路３４側に再生ファン３８が設けられている。そして、処理流路３３では、処理ファン３７によって室外の空気が室内へ向かって引き込まれ、再生流路３４では、再生ファン３８によって室内の空気が室外へ送り出される。
【００１９】
再生流路３４内には、除湿ロータ３５と熱交換ロータ３６との間に、ヒータ３９及び前述した再生用熱交換器２０が設けられている。
また、再生流路３４内における再生熱交換器２０につながる配管１４ｅには、配管温度センサ４１が設けられ、再生流路３４内におけるヒータ３９側の除湿ロータ３５近傍には、空気温度センサ４２が設けられている。
【００２０】
上記構造の空気調和システム１は、冷凍機２及び除湿機３を制御する制御装置５１Ａを備えている。この制御装置５１Ａは、冷凍機２の四方弁１５を制御する四方弁制御部５２、圧縮機１７を制御する圧縮機制御部５３及びバイパス配管１９のバイパス弁１８を制御するバイパス弁制御部５４を有している。また、この制御装置５１Ａは、除湿機３のヒータ３９を制御するヒータ制御部５５及び各温度センサ４１、４２からの検知信号を受信する温度検出部５６を有している。
また、制御装置５１Ａは、モード設定部５７及び再生熱制御部５８ａを有している。そして、モード設定部５７には、四方弁制御部５２、圧縮機制御部５３及び再生熱制御部５８ａが接続され、再生熱制御部５８ａには、バイパス弁制御部５４、ヒータ制御部５５及び温度検出部５６が接続されている。
【００２１】
次に、上記の空気調和システム１を運転する場合について説明する。
モード設定部５７にて冷房・除湿モードに設定されると、四方弁制御部５２及び圧縮機制御部５３によって四方弁１５及び圧縮機１７が制御され、冷凍機２が冷房モードによる運転を開始する。
また、再生熱制御部５８ａには、冷房・除湿モードの設定である旨の信号が出力され、バイパス弁制御部５４によってバイパス弁１８が閉状態となりバイパス配管１９が閉鎖される。
さらに、配管温度センサ４１及び空気温度センサ４２からの検出信号が、温度検出部５６にて検出され、再生熱制御部５８ａへ送信され、再生熱制御部５８ａからヒータ制御部５５へ制御信号が出力される。
【００２２】
これにより、冷凍機２では、圧縮機１７にて圧縮された冷媒が、再生用熱交換器２０へ送り込まれ、この再生用熱交換器２０にて熱が放出される。
再生用熱交換器２０を通された冷媒は、熱交換器１２にてさらに冷却され、膨張弁１３にて膨張されて二相状態とされ、室内ユニット５の膨張弁２３にて膨張されて熱交換器２２にて熱交換が行われる。これにより、室内ユニット５が設置された各室内の空気が冷却される。
その後、熱交換器２２からの冷媒がアキュームレータ１６へ送り込まれ、再び圧縮機１７にて圧縮される。
【００２３】
また、冷凍機２における冷房運転とともに除湿機３が運転を開始する。
除湿機３では、除湿ロータ３５及び熱交換ロータ３６が回転されるとともに、処理ファン３７及び再生ファン３８が駆動する。
これにより、処理流路３３では、処理ファン３７によって室外の空気が室内へ向かって引き込まれ、再生流路３４では、再生ファン３８によって室内の空気が室外へ送り出される。
【００２４】
そして、処理流路３３では、引き込まれる室外の空気中の水分が除湿ロータ３５の乾燥剤によって吸着されることにより除湿され、さらに、熱交換ロータ３６にて熱が吸収される。
つまり、処理流路３３では、引き込んだ高温多湿状態の外気が除湿され温度が下げられて室内に送り込まれる。
【００２５】
また、再生流路３４では、送り出される室内の空気によって熱交換ロータ３６が冷却され、さらに、再生用熱交換器２０にて冷凍機２の冷媒から放出される排熱及びヒータ３９の熱によって加熱される。そして、この加熱された乾燥した空気は除湿ロータ３５を通過する際に、除湿ロータ３５の乾燥剤から処理流路３３にて吸収した水分を受け取り、室外へ放出される。
つまり、再生流路３４に送り込まれた低温乾燥状態の室内の空気が、熱交換ロータ３６を冷却し、さらに、再生用熱交換器２０及びヒータ３９にて加熱され、除湿ロータ３６から水分を取り去ることにより、除湿ロータ３５の再生を行う。
【００２６】
ここで、制御装置５１Ａの再生熱制御部５８ａにおけるヒータ３９の制御について、図２に示すフローチャート図に沿って説明する。
ステップＳ１
モード設定部５７から冷房・除湿モード信号を入力すると、再生熱制御部５８ａは、バイパス弁制御部５４へ制御信号を送信する。これにより、バイパス弁制御部５４からバイパス弁１８に駆動信号が出力され、バイパス弁１８が閉状態とされ、バイパス配管１９の流路が閉鎖される。
これにより、圧縮機１７にて圧縮された高温の冷媒は、再生用熱交換器２０へ送り込まれ、除湿機３の再生流路３４内を流れる再生用の空気の加熱が開始される。
【００２７】
ステップＳ２
温度検出部５６にて検出された配管温度センサ４１からの検出結果に基づいて、再生熱制御部５８ａが、再生用熱交換器２０から冷媒が吐き出される配管１４ｅの温度Ｔｈｐが予め設定された第１所定温度Ｔａの以下か否かを判断する。
ここで、配管１４ｅの温度Ｔｈｐが第１所定温度Ｔａの以下と判断した場合は、ステップＳ３へ移行し、配管１４ｅの温度Ｔｈｐが第１所定温度Ｔａより高いと判断した場合は、ステップＳ５へ移行する。
【００２８】
ステップＳ３
配管１４ｅの温度Ｔｈｐが第１所定温度Ｔａ以下で、再生用熱交換器２０への排熱の供給が十分でないと判断した再生熱制御部５８ａは、ヒータ制御部５５へ制御信号を送信する。これにより、ヒータ制御部５５から、ヒータ３９にＯＮ信号が出力され、ヒータ３９が作動し、再生流路３４内を流れる空気がヒータ３９によって加熱される。
【００２９】
ステップＳ４
温度検出部５６にて検出された空気温度センサ４２からの検出結果に基づいて、再生熱制御部５８ａが除湿ロータ３５の上流側近傍における空気の温度Ｔｈａが第２所定温度Ｔｂ以上であるか否かを判断する。
ここで、空気の温度Ｔｈａが第２所定温度Ｔｂ以上であると判断した場合は、ステップＳ２へ移行して配管１４ｅの温度Ｔｈｐの判断を行い、空気の温度Ｔｈａが第２所定温度Ｔｂに満たないと判断した場合は、ステップＳ３へ移行してヒータ３９による加熱を継続する。
【００３０】
ステップＳ５
再生熱制御部５８ａにて、配管１４ｅの温度Ｔｈｐが第１所定温度Ｔａより高く、再生用熱交換器２０への排熱の供給が十分であると判断された場合は、ヒータ制御部５５からＯＦＦ信号が出力され、ヒータ３９がＯＦＦされる。これにより、再生流路３４を流れる再生用の空気は、熱交換器２０によって十分に加熱され、除湿ロータ３５は、熱交換器２０によって加熱された再生用の空気によって確実に再生される。
【００３１】
このように、上記の空気調和システム１では、再生用熱交換器２０へ圧縮された高温の冷媒を送り込むことにより、再生流路３４に送り込まれる再生用空気を確実に加熱することができる。
つまり、圧縮した冷媒から放出させる排熱を除湿機３の除湿ロータ３５を再生する再生用空気の加熱に用いることにより、総合的なエネルギーの効率を大幅に高めることができる。特に、排熱温度が安定した蒸気圧縮式の冷凍機２からの排熱を用いるので、除湿機３の除湿ロータ３５の再生を安定的に行うことができ、確実に設定した空調条件にて空調を行うことができる。
【００３２】
また、再生用熱交換器２０とともにヒータ３９によって、より確実かつ安定的に再生用空気を加熱して除湿ロータ３５を再生することができる。
さらには、制御装置５１Ａの再生熱制御部５８ａが、再生用熱交換器２０につながる配管１４ｅ及び再生用空気の温度をそれぞれ検出する温度センサ４１、４２からの検出結果に基づいてヒータ３９の制御を行うことにより、常に安定した温度の再生用空気を除湿ロータ３５に供給して再生させることができる。
【００３３】
なお、除湿機３を運転せず、冷凍機２にて冷房運転のみ行う場合、あるいは冷凍機２の四方弁１５によって流路を切り換えて冷媒の流れを逆転させた暖房運転を行う場合は、バイパス弁１８を開いてバイパス配管１９に冷媒を流し、再生用熱交換器２０への冷媒の送り込みを規制し、再生用熱交換器２０における熱交換を停止状態とする。
【００３４】
（第２の実施形態）
次に、第２の実施形態に係る空気調和システムについて図面に基づいて説明する。なお、第１の実施形態に係る空気調和システムと同一構造部分は、同一符号を付して説明を省略する。
図３は、第２の実施形態に係る空気調和システムの構成を説明する回路図である。
【００３５】
図に示すように、この空気調和システム１Ａでは、再生用熱交換器６０を構成するケース６０ａ内に配設された伝熱管６０ｂの周囲に、蓄熱剤６１が充填されている。そして、この再生用熱交換器６０では、伝熱管６０ｂ内を流れる冷媒と蓄熱剤６１との間にて熱交換が行われ、蓄熱剤６１に熱が蓄えられる。
この蓄熱剤は、例えば、パラフィンなどからなる物質の周囲にケイ酸カルシウムからなるカプセル壁を形成したマイクロカプセルを水などの液体に入れたものである。
【００３６】
また、この再生用熱交換器６０には、伝熱管６０ｂから冷媒が戻される配管１４ｅに、配管温度センサ４１が設けられている。
このように、上記構造の空気調和システム１Ａの場合も、冷房・除湿モードによる運転時に、再生用熱交換器６０にて、除湿機３の再生流路３４内を流れる再生空気の加熱が行われ、冷凍機２の排熱が有効に用いられる。
【００３７】
ここで、制御装置５１Ｂの再生制御部５８ｂにおけるバイパス弁１８の制御について図４に示すフローチャート図に沿って説明する。
ステップＳ１１
モード設定部５７から冷房・除湿モード信号を入力すると、再生熱制御部５８ｂは、ヒータ制御部５５へ制御信号を送信する。これにより、ヒータ制御部５５からヒータ３９に駆動信号が出力される。
これにより、除湿機３の再生流路３４内を流れる再生用の空気がヒータ３９によって加熱される。
【００３８】
ステップＳ１２
温度検出部５６にて検出された配管温度センサ４１からの検出結果に基づいて、再生熱制御部５８ｂが、再生用熱交換器６０から冷媒を戻す配管１４ｅの温度Ｔｈｐが予め設定された第３所定温度Ｔｃよりも低いか否かを判断する。
ここで、配管１４ｅの温度Ｔｈｐが第３所定温度Ｔｃより低く、再生用熱交換器６０への排熱の供給が不十分であると判断した場合は、ステップＳ１３へ移行し、配管１４ｅの温度Ｔｈｐが第３所定温度Ｔｃ以上あると判断した場合は、ステップＳ１５へ移行する。
【００３９】
ステップＳ１３
配管１４ｅの温度Ｔｈｐが第３所定温度Ｔｃより低いと判断した再生熱制御部５８ｂは、バイパス弁制御部５４へ制御信号を送信する。これにより、バイパス弁制御部５４は、バイパス弁１８に閉信号を出力し、バイパス弁１８を駆動させる。
これにより、再生用熱交換器６０に高温の冷媒が送り込まれ、その熱が蓄熱剤６１に蓄熱され、また、この再生用熱交換器６０によって再生流路３４内を流れる空気が加熱される。
【００４０】
ステップＳ１４
温度検出部５６にて検出された空気温度センサ４２からの検出結果に基づいて、再生熱制御部５８ｂが除湿ロータ３５の上流側近傍における空気の温度Ｔｈａが第４所定温度Ｔｄ以上であるか否かを判断する。
ここで、空気の温度Ｔｈａが第４所定温度Ｔｄ以上であると判断した場合は、ステップＳ１２へ移行して配管１４ｅの温度Ｔｈｐの判断を行い、空気の温度Ｔｈａが第４所定温度Ｔｄに満たないと判断した場合は、ステップＳ１３へ移行して再生用熱交換器６０による熱交換を継続する。
【００４１】
ステップＳ１５
再生熱制御部５８ｂにて、配管１４ｅの温度Ｔｈｐが第３所定温度Ｔｃ以上あり、再生用熱交換器６０への排熱の供給が十分であると判断された場合は、バイパス弁制御部５４から開信号が出力され、バイパス弁１８が開かれる。これにより、圧縮機１７からの高温の冷媒がバイパス配管１９を通り室外ユニット４の熱交換器１２に送り込まれ、再生用熱交換器６０への流入が規制される。
これにより、再生流路３４を流れる再生用の空気は、再生用熱交換器６０の蓄熱剤６１及びヒータ３９によって十分に加熱され、除湿ロータ３５は、加熱された再生用の空気によって確実に再生される。
【００４２】
このように、第２の実施形態に係る空気調和システムによれば、伝熱管６０ｂを流れる冷媒の熱を、伝熱管６０ｂの周囲に充填された蓄熱剤６１に蓄熱させることができるので、特に、冷凍機２と除湿機３との運転のタイミングが多少異なり冷媒の排熱が多少変動しても、蓄熱材６１に蓄熱された熱によって再生用空気を安定して加熱することができ、除湿ロータ３５の再生を安定的に継続させることができる。
【００４３】
また、制御装置５１Ｂの再生熱制御部５８ｂが、再生用熱交換器６０につながる配管１４ｅ及び再生用空気の温度をそれぞれ検出する温度センサ４１、４２からの検出結果に基づいてバイパス流路１９の開閉制御を行うことにより、常に安定した温度の再生用空気を除湿ロータ３５に供給して再生させることができる。
【図面の簡単な説明】
【００４４】
【図１】本発明の第１の実施形態に係る空気調和システムを説明する空気調和システムの回路図である。
【図２】再生熱制御部における制御の流れを説明するフローチャート図である。
【図３】本発明の第２の実施形態に係る空気調和システムを説明する空気調和システムの回路図である。
【図４】再生熱制御部における制御の流れを説明するフローチャート図である。
【符号の説明】
【００４５】
１、１Ａ  空気調和システム
２  冷凍機
３  除湿機
１２  熱交換器（放熱器）
１７  圧縮機
１９  バイパス流路
２０、６０  再生用熱交換器
２２  熱交換器（蒸発器）
３４  再生流路
３５  除湿ロータ（除湿材）
３９  ヒータ（加熱器）
４１  配管温度センサ（温度センサ）
４２  空気温度センサ（温度センサ）
５１Ａ、５１Ｂ  制御装置
５８ａ  再生熱制御部（第１制御装置）
５８ｂ  再生熱制御部（第２制御装置）
６０ｂ  伝熱管
６１  蓄熱剤
Ｔａ  第１所定温度
Ｔｂ  第２所定温度
Ｔｃ  第３所定温度
【図１】
2005180885.tif 000003
【図２】
2005180885.tif 000004
【図３】
2005180885.tif 000005
【図４】
2005180885.tif 000006